(57)【要約】  長穴を用いてアンカーボルトの打設位置のばらつきに対し柔軟に対応できるようにした壁側ブラケットの場合においても、水平方向等に大きな力が作用した際に横すべりすることなくガイドレールや昇降体を支持することのできる、エレベータ用ガイドレール固定装置を得る。  昇降路壁に固定する壁側ブラケット部(1)の長穴(1a)に、座金(4)と、前記壁側ブラケット部(1)の取付け前には前記長穴(1a)のどの位置に対しても前記座金(4)を取付け可能で、取付け後は前記長穴(1a)の長手方向の前記座金(4)の移動を制限する固定部材(3)を備えることにより、壁側ブラケット部(1)の取付け後の前記長穴(1a)の長手方向の移動を制限する。
2015145669.tif 000002
【特許請求の範囲】
【請求項１】
エレベータの昇降路内にガイドレールを縦方向に固定するエレベータ用ガイドレール固定装置であって、昇降路壁に固定する壁側ブラケット部の長穴に、座金と、前記壁側ブラケット部の取付け前には前記長穴のどの位置に対しても前記座金を取付け可能で、取付け後は前記長穴の長手方向の前記座金の移動を制限する固定部材を備えたエレベータ用ガイドレール固定装置。
【請求項２】
エレベータの昇降路内にガイドレールを縦方向に固定するエレベータ用ガイドレール固定装置であって、  前記ガイドレール固定装置を昇降路壁に固定する壁側ブラケット部が、  前記昇降路壁に固定される壁側ブラケットと、  前記壁側ブラケットに横方向に並べて設けられた縦長穴と横長穴と、  前記縦長穴と横長穴にそれぞれ挿通されて前記壁側ブラケットを前記昇降路壁に固定するネジを有するアンカーボルトと、  前記アンカーボルトが挿通する丸ネジ穴を有し、前記アンカーボルトの軸方向と直交する方向に細長い前記座金と、  前記壁側ブラケットに固定されて設けられた、前記縦長穴または横長穴の近傍で前記座金の一端が当接可能な位置にある前記固定部材である座金支持用プレートと、  を備え、  前記座金と前記座金支持用プレートが、前記座金が前記アンカーボルトを締める方向に回転可能となる角度で前記座金支持用プレートと当接するように配置されている請求項１に記載のエレベータ用ガイドレール固定装置。
【請求項３】
エレベータの昇降路内にガイドレールを縦方向に固定するエレベータ用ガイドレール固定装置であって、  前記ガイドレール固定装置を昇降路壁に固定する壁側ブラケット部が、  前記昇降路壁に固定される壁側ブラケットと、  前記壁側ブラケットに横方向に並べて設けられた縦長穴と横長穴と、  前記縦長穴と横長穴にそれぞれ挿通されて前記壁側ブラケットを前記昇降路壁に固定するネジが形成されたアンカーボルトと、  前記壁側ブラケットの前記縦長穴または横長穴上に固定されて設けられた、前記縦長穴または横長穴と一致する前記アンカーボルトが挿通される長穴を有する前記固定部材である座金溶接用プレートと、  前記座金溶接用プレート上に搭載され、前記アンカーボルトが挿通される丸ネジ穴および前記座金溶接用プレートと溶接するための溶接用長穴を有する前記座金であって、前記丸ネジ穴が前記座金の前記丸ネジ穴側の端辺が前記座金溶接用プレートの端辺より前記丸ネジ穴側になるような位置にあり、前記溶接用長穴が前記丸ネジ穴より前記丸ネジ穴側の端辺から遠い位置にあるものと、  前記座金溶接用プレートと前記座金を、前記丸ネジ穴側の端辺および前記溶接用長穴で溶接する溶接部と、  を備えた請求項１に記載のエレベータ用ガイドレール固定装置。
【請求項４】
前記壁側ブラケットが前記縦長穴と横長穴が設けられ前記昇降路壁に固定される縦片と前記縦片の上端辺から昇降路内側に延びる横片からなり、  前記座金溶接用プレートと前記座金が前記縦片上で前記縦片から突出して延び、前記丸ネジ穴側の端辺および前記溶接用長穴の前記溶接部が、前記縦片から突出した前記横片のない部分に位置する請求項３に記載のエレベータ用ガイドレール固定装置。
【請求項５】
エレベータの昇降路内にガイドレールを縦方向に固定するエレベータ用ガイドレール固定装置であって、  前記ガイドレール固定装置を昇降路壁に固定する壁側ブラケット部が、  前記昇降路壁に固定される壁側ブラケットと、  前記壁側ブラケットに横方向に並べて設けられた斜め長穴と縦長穴または横長穴と、  前記斜め長穴と縦長穴または横長穴にそれぞれ挿通されて前記壁側ブラケットを前記昇降路壁に固定するネジを有するアンカーボルトと、  前記アンカーボルトが挿通する丸ネジ穴を有し、前記アンカーボルトの軸方向と直交する方向に細長い前記座金と、  前記壁側ブラケットに固定されて設けられた、前記斜め長穴の近傍で前記座金と当接可能な位置にある前記固定部材である座金支持用プレートと、  を備え、  前記座金支持用プレートと前記座金との当接辺がそれぞれ前記斜め長穴の傾きと略同じ傾きを有しかつ互いに嵌り合う形状を有する、前記座金支持用プレートから前記座金への方向の外力に有効な請求項１に記載のエレベータ用ガイドレール固定装置。
【請求項６】
請求項２のエレベータ用ガイドレール固定装置において、前記縦長穴と横長穴による前記壁側ブラケット部の位置決め余裕による位置決め調整の後、前記座金の一端が前記座金支持用プレートに当接するように前記アンカーボルトを締め付けるエレベータ用ガイドレール固定装置の固定方法。
【請求項７】
請求項３のエレベータ用ガイドレール固定装置において、前記縦長穴と横長穴による前記壁側ブラケット部の位置決め余裕による位置決め調整の後、前記座金溶接用プレートと前記座金を、前記座金の前記丸ネジ穴側の端辺および前記溶接用長穴で溶接するエレベータ用ガイドレール固定装置の固定方法。
【請求項８】
請求項５のエレベータ用ガイドレール固定装置において、前記斜め長穴と縦長穴または横長穴による前記壁側ブラケット部の位置決め余裕による位置決め調整の後、前記座金と前記座金支持用プレートの当接面がそれぞれ互いに嵌り合うように前記アンカーボルトを締め付けるエレベータ用ガイドレール固定装置の固定方法。
【発明の詳細な説明】
【技術分野】
【０００１】  この発明は、エレベータの昇降路内に縦方向に設置されるガイドレールを昇降路壁に固定するエレベータ用ガイドレール固定装置に係り、特にガイドレール固定装置の昇降路壁への固定構造等に関する。
【背景技術】
【０００２】  この種のガイドレール用ブラケットは通常２本のアンカーボルトにより昇降路壁に固定される。しかし、アンカーボルトを取付けるための昇降路壁の穴は現地作業により開けるため、多少のずれを許容する必要がある。そのため、ブラケットに形成されるアンカーボルト挿通用の穴はそれぞれが横方向に長い横長穴、または一方が横長穴、他方が縦方向に長い縦長穴となっている場合が多い。【０００３】  このような構成とした場合、ブラケットに横(水平)方向の力(荷重)が作用した時、横長穴からなるアンカーボルト締めつけ固定(以下締結等とする)箇所については、摩擦力による保持力のみとなる。この保持力は、想定しているブラケットへの力と比較して小さい。このため、ブラケットが横すべりしてしまうという問題がある。また、２つの挿通穴の一方を縦長穴とした場合は、上述の力を縦長穴に挿通されるアンカーボルトにより保持することになる。しかしながらアンカーボルト１本の許容せん断力は想定しているブラケットのへの力と比較して小さいため、アンカーボルトの破損につながるという問題がある。【０００４】  上記問題に対する対策として、例えば下記特許文献１のように、左右のレールブラケットを連結棒により互いに連結することでガイドレールの相対変位を制限する、エレベータのレールブラケット装置が知られている。この場合、力が作用した場合にその力の一部が連結棒を通して反対側のレールブラケットに伝えられる。これにより個々のレールブラケットに作用する荷重を小さくし、且つ対となるガイドレールの相対変位を制限する。【０００５】  しかし、上記対策の問題点として、連結棒を用いること、各ブラケットに連結棒のための支持金具等を配置することになり、昇降路スペースを広げる必要があり、狭い昇降路の場合には使用できないといった問題がある。【０００６】  また、別の対策として、アンカーボルトのボルト径に近い穴径の丸穴が開いた四角形の座金を用意する。そして昇降路壁にアンカーボルト取付用の穴を開けた後、アンカーボルトを別途設けた固定装置の横長穴と上述の座金の丸穴とを挿通させた状態で昇降路壁に締結する。そして然る後に、固定装置と座金を溶接により固定する。これにより、固定装置に横方向の力が作用した場合に、座金を固定装置に溶接固定しているので、横長穴に挿通したアンカーボルトで力を保持することができる。このようなレールブラケットも一般的に知られている。【０００７】  しかし、上記対策の問題点として、固定装置と座金の現地での溶接が困難なことがあげられる。通常、現地では溶棒を用いたアーク溶接による溶接を行う。しかしながら、座金の左右及び下の辺を溶接する場合、溶融部材が垂れることにより十分なすみ肉を形成することが困難である。また、固定装置の昇降路壁と平行な垂直片の上端辺からは昇降路内側方向に水平片が伸びている。これにより、座金の上の辺を溶接する場合、固定装置の水平片が干渉するため溶棒による溶接が困難となる。【０００８】  そこで、上記問題の対策として、固定装置と座金に挿通させた状態でアンカーボルトを昇降路壁に仮締結する。そして座金の位置をケガキ線などで記録する。その後、アンカーボルトを一度取り外し、固定装置を地面に置いた���態で座金の左右の２片を溶接することで、適切な溶接を可能としている。【０００９】  しかしながら、上記対策の場合、作業手順が増えるという問題があった。
【先行技術文献】
【特許文献】
【００１０】
【特許文献１】実開昭６１−１３２３７２号公報
【発明の概要】
【発明が解決しようとする課題】
【００１１】  以上のことから、エレベータ用ガイドレール固定装置において、特にガイドレール固定装置を昇降路壁へより簡単でかつ外力によりずれることなく固定可能な構造が望まれている。【００１２】  この発明は、上記の課題を解決するためになされたものであり、昇降路壁へより簡単でかつ外力によりずれることなく固定可能なエレベータ用ガイドレール固定装置等を得ることを目的とする。
【課題を解決するための手段】
【００１３】  この発明は、エレベータの昇降路内にガイドレールを縦方向に固定するエレベータ用ガイドレール固定装置であって、昇降路壁に固定する壁側ブラケット部の長穴に、座金と、前記壁側ブラケット部の取付け前には前記長穴のどの位置に対しても前記座金を取付け可能で、取付け後は前記長穴の長手方向の前記座金の移動を制限する固定部材を備えたエレベータ用ガイドレール固定装置等にある。  例えば、エレベータの昇降路内にガイドレールを縦方向に固定するエレベータ用ガイドレール固定装置であって、前記ガイドレール固定装置を昇降路壁に固定する壁側ブラケット部が、前記昇降路壁に固定される壁側ブラケットと、前記壁側ブラケットに横方向に並べて設けられた縦長穴と横長穴と、前記縦長穴と横長穴にそれぞれ挿通されて前記壁側ブラケットを前記昇降路壁に固定するネジを有するアンカーボルトと、前記アンカーボルトが挿通する丸ネジ穴を有し、前記アンカーボルトの軸方向と直交する方向に細長い前記座金と、前記壁側ブラケットに固定されて設けられた、前記縦長穴または横長穴の近傍で前記座金の一端が当接可能な位置にある前記固定部材である座金支持用プレートと、を備え、前記座金と前記座金支持用プレートが、前記座金が前記アンカーボルトを締める方向に回転可能となる角度で前記座金支持用プレートと当接するように配置されているエレベータ用ガイドレール固定装置等にある。
【発明の効果】
【００１４】  この発明では、昇降路壁へより簡単でかつ外力によりずれることなく固定可能なエレベータ用ガイドレール固定装置等を提供できる。
【図面の簡単な説明】
【００１５】
【図１】この発明の実施の形態１によるエレベータ用ガイドレール固定装置の壁側ブラケットの正面図である。
【図２】この発明の実施の形態１によるエレベータ用ガイドレール固定装置の座金の正面図である。
【図３】この発明の実施の形態１によるエレベータ用ガイドレール固定装置の壁側ブラケット部の正面図である。
【図４】この発明の実施の形態２によるエレベータ用ガイドレール固定装置の壁側ブラケットの正面図である。
【図５】この発明の実施の形態２によるエレベータ用ガイドレール固定装置の座金の正面図である。
【図６】この発明の実施の形態２によるエレベータ用ガイドレール固定装置の壁側ブラケット部の正面図である。
【図７】この発明の実施の形態３によるエレベータ用ガイドレール固定装置の壁側ブラケットの正面図である。
【図８】この発明の実施の形態３によるエレベータ用ガイドレール固定装置の座金の正面図である。
【図９】この発明の実施の形態３によるエレベータ用ガイドレール固定装置の壁側ブラケット部の正面図である。
【図１０】昇降路に取り付けられたこの発明によるエレベータ用ガイドレール固定装置を示す昇降路の上面図である。
【発明を実施するための形態】
【００１６】  以下、この発明によるエレベータ用ガイドレール固定装置等を各実施の形態に従って図面を用いて説明する。なお、各実施の形態において、同一もしくは相当部分は同一符号で示し、また重複する説明は省略する。
【００１７】  図１０は昇降路に取り付けられたこの発明によるエレベータ用ガイドレール固定装置を示す昇降路の上面図である。この発明によるエレベータ用ガイドレール固定装置１００は、例えば一対のガイドレール固定装置１００で、それぞれにガイドレール２５０を固定保持する。２本のガイドレール２５０は、釣合おもりやかご(２００)が昇降路の縦方向に昇降可能なように、間の釣合おもりやかご(２００)の両側のガイド(図示省略)とそれぞれに嵌り合う。
【００１８】  各エレベータ用ガイドレール固定装置１００は、壁側ブラケット部１０１と、壁側ブラケット部１０１に固定または一体に形成されたレール側ブラケット部１０２からなる。壁側ブラケット部１０１は後述するアンカーボルトにより昇降路壁１５０に固定される。ガイドレール２５０はレール側ブラケット部１０２にそれぞれ固定され、釣合おもりやかご(２００)の水平方向の動きを制限する。このような構成において、地震等により釣合おもりやかご(２００)に矢印の方向に加振力が作用したとき、エレベータ用ガイドレール固定装置１００の壁側ブラケット部１０１、レール側ブラケット部１０２にそれぞれ図示の矢印の方向の力が作用する。
【００１９】  この発明ではエレベータ用ガイドレール固定装置１００の、特に壁側ブラケット部１０１に関し、昇降路壁へより簡単でかつ外力によりずれることなく固定可能な構成等を提供する。従って以下では壁側ブラケット部１０１につい各実施の形態に従って説明を行う。なお、以下では、「横方向」は略水平方向、「縦方向」は略鉛直方向を示す。
【００２０】  この発明では、複数のアンカーボルトにより昇降路壁面に壁側ブラケット部を固定する場合において、壁側ブラケット部の長穴による施工余裕度(位置決め余裕度：フレキシビリティ)を設けつつ、組立施工後は、アンカーボルトが長穴部を移動しない構造とし、かつその構造が容易に組立可能なものとすることで、据付けの容易性、耐震性の向上を図ったガイドレール固定装置の固定構造等を提供する。
【００２１】  実施の形態１．  図１から３はこの発明の一実施の形態によるエレベータ用ガイドレール固定装置の壁側ブラケット部の一例を示す。図１は壁側ブラケット１、図２は座金４、図３はこれらが組み合わされて例えば昇降路壁にアンカーボルト２ａ、２ｂで固定された状態の壁側ブラケット部１０１のそれぞれ正面図である。
【００２２】  図１に示すように、壁側ブラケット１は昇降路壁と平行に固定される縦片(垂直片)１ｃと縦片１ｃの上端辺から昇降路内側方向に延びる横片(水平片)１ｄからなる。縦片１ｃにはネジが形成されたアンカーボルト２ａ、２ｂを挿通可能な横長穴１ａ及び縦長穴１ｂが横並びに開けられている。横長穴１ａの近傍には座金支持用プレート３が固定または予め一体に形成されている。
【００２３】  図２に示すように、座金４にはアンカーボルト２ａを挿通可能な丸ネジ穴４ａが開けられている。座金４は楕円形状をしている。なお、座金４はアンカーボルト２ａの軸方向と直交する方向に細長いものであればよい。
【００２４】  図３に示すように組立手順は、最初に昇降路壁１５０にドリルで穴を開ける。  次に、横長穴１ａ側は、壁側ブラケット１の横長穴１ａ、座金４のネジ穴４ａ、ワッシャ６ａ、スプリング７ａ、ナット８ａにアンカーボルト２ａを通して、縦長穴１ｂ側は、壁側ブラケット１の縦長穴１ｂ、ワッシャ６ｂ、スプリング７ｂ、ナット８ｂにアンカーボルト２ｂを通して、それぞれアンカーボルト２ａ，２ｂを締め付けて、壁側ブラケット１と座金４を昇降路壁１５０に固定する。この際、座金４の角度を調整し、座金４と壁側ブラケット１上の座金支持用プレート３が当接し、且つ、座金支持用プレート３から座金４に矢印Ｐで示す横方向の力が加わった際に、座金４の回転方向がアンカーボルト２ａを締める方向となるようにする。図３はアンカーボルト２ａに右ネジが形成されており、座金支持用プレート３から座金４への矢印Ｐの横方向の力によりアンカーボルト２ａに右回転の力が加わる状態を示している。
【００２５】  このように構成することにより、壁側ブラケット１が図３の矢印Ｐの方向に力を受けた場合、座金４は座金支持用プレート３の矢印方向の移動を制限し、アンカーボルト２ａおよび壁側ブラケット１は、座金４の矢印方向への移動及びアンカーボルト２ａ周りの回転をそれぞれ制限する。結果として、壁側ブラケット１の横方向の移動を制限することができる。
【００２６】  壁側ブラケット１に対し矢印方向の力が作用した時、座金支持用プレート３から座金４に力がかかり、座金４は回転しようとするが、アンカーボルト２ａが締められることで回転が防止される。これにより、アンカーボルト２ａを昇降路壁１５０の面に挿入するための穴が水平方向にある程度ずれた場合でも取付け可能である横長穴１ａを用いた壁側ブラケット１の場合でも、矢印(横)方向の力が作用した時ずれること無くレールを支持することが可能になる。
【００２７】  なお、上記説明は、横長穴１ａ、右ネジを有するアンカーボルト２ａに関する図面右側からの横方向の力が加わる場合についての例を説明するため、座金支持用プレート３が座金４の右側に設けられ、座金４がアンカーボルト２ａを締める方向に回転可能となる角度で座金支持用プレート３と当接して配置されている。  横長穴１ａ、右ネジを有するアンカーボルト２ａに関する図面左側からの横方向の力が加わる場合、座金支持用プレート３が座金４の左側に設けられ、座金４がアンカーボルト２ａを締める方向に回転可能となる角度で座金支持用プレート３と当接して配置される。  同様に、縦長穴１ｂ、右ネジを有するアンカーボルト２ｂに関する図面上側からの縦方向の力が加わる場合、座金支持用プレート３が座金４の上側に設けられ、座金４がアンカーボルト２ｂを締める方向に回転可能となる角度で座金支持用プレート３と当接して配置される。  縦長穴１ｂ、右ネジを有するアンカーボルト２ｂに関する図面下側からの縦方向の力が加わる場合、座金支持用プレート３が座金４の下側に設けられ、座金４がアンカーボルト２ｂを締める方向に回転可能となる角度で座金支持用プレート３と当接して配置される。  アンカーボルト２ａ，２ｂが左ネジを有する場合は、座金４の角度が９０°切り替わる。例えば、図３の場合、座金４が右下がりの位置にあるが、アンカーボルト２ａが左ネジの場合は右上がりの位置になる。
【００２８】  また、ガイドレール固定装置の固定方法としては上述のように、図３に示すように、壁側ブラケット１にアンカーボルト２ａ，２ｂを挿通した状態で、横長穴１ａと縦長穴１ｂによる壁側ブラケット部１０１の位置決め余裕による位置決め調整の後、座金４の一端が座金支持用プレート３に当接するようにアンカーボルト２ａ，２ｂを締め付ける。
【００２９】  上記に説明する作用により、横長穴の開いた壁側ブラケットにおいても、現地溶接などの特別な作業を必要とせず、施工後は、横方向の力(座金支持用プレートのある方向からの力)に対して横滑りを生じることなく、２本のアンカーボルトによる支持が可能となる。
【００３０】  実施の形態２．  図４から６はこの発明の別の実施の形態によるエレベータ用ガイドレール固定装置の壁側ブラケット部の一例を示す。図４は壁側ブラケット１ａａ、図５は座金１１、図６はこれらが組み合わされて例えば昇降路壁にアンカーボルト２ａ、２ｂで固定された状態の壁側ブラケット部１０１ａのそれぞれ正面図である。
【００３１】  図４に示すように、壁側ブラケット１ａａの縦片１ｃには座金溶接用プレート１０が固定されている。座金溶接用プレート１０には壁側ブラケット１ａａの横長穴１ａと同形状の横長穴１０ａが開けられており、横長穴１ａと一致するように固定または予め一体に形成されている。
【００３２】  図５に示すように、座金１１にはアンカーボルト２ａを挿通可能な丸ネジ穴１１ａと、丸ネジ穴１１ａより下側にかつ横方向にずらして溶接用長穴１１ｂが開けられている。そして座金１１は、丸ネジ穴１１ａと座金溶接用プレート１０の横長穴１０ａとを重ねた時、座金１１の上端辺が座金溶接用プレート１０の上端辺より下にあり溶接できるように丸ネジ穴１１ａの位置が決められている。また図６の例では、縦方向の下部の位置を合わせるために、座金１１は座金溶接用プレート１０より縦方向が短い形状を有している。  すなわち、座金１１は、アンカーボルト２ａが挿通される丸ネジ穴１１ａおよび座金溶接用プレート１０と溶接するための溶接用長穴１１ｂを有する。丸ネジ穴１１ａは、座金１１の丸ネジ穴側の端辺が座金溶接用プレート１０の端辺より丸ネジ穴側になるような位置にある。溶接用長穴１１ｂは丸ネジ穴１１ａより丸ネジ穴側の端辺から遠い位置にある。
【００３３】  図６に示すように、組立手順は、最初に昇降路壁１５０にドリルで穴を開ける。  次に、横長穴１ａ側は、壁側ブラケット１ａａの横長穴１ａ、座金１１の丸ネジ穴１１ａ、ワッシャ６ａ、スプリング７ａ、ナット８ａにアンカーボルト２ａを通して、縦長穴１ｂ側は、壁側ブラケット１ａａの縦長穴１ｂ、ワッシャ６ｂ、スプリング７ｂ、ナット８ｂにアンカーボルト２ｂを通して、それぞれアンカーボルト２ａ，２ｂを締めて、ブラケット１ａａと座金１１を昇降路壁１５０に固定する。そして、溶接用長穴１１ｂと座金１１の上端辺に溶接(溶接部)Ｗを施す。
【００３４】  このように構成することにより、壁側ブラケット１ａａが図６の矢印Ｐの方向に力を受けた場合、座金１１は座金溶接用プレート１０の矢印方向への移動を制限し、アンカーボルト２ａは座金１１の矢印方向の移動を制限する。結果として、壁側ブラケット１ａａの横方向の移動を制限することができる。矢印Ｐの方向の力を溶接部分により支持するため、座金は回転することがなく、座金の回転した際の軸方向の引抜力に対する強度の検討の必要が無い。  また矢印Ｐの方向に力に限らず、矢印Ｐの方向と反対側からの力に対して有効である。すなわち、座金１１と座金溶接用プレート１０を設けた方向での両側からの力に対して有効である。
【００３５】  また上記説明では、横長穴１ａの場合について説明したが、図の右側の縦長穴１ｂについても同様の構成を施すことにより壁側ブラケット１ａａすなわち壁側ブラケット部１０１ａの移動を制限できる。  また図６に示すように、座金溶接用プレート１０と座金１１は溶接部Ｗが壁側ブラケット１ａａの横片１ｄがない部分になるように、壁側ブラケット１ａａから突出して延びるように細長い形状を有している。これは、固定する際の壁側ブラケット１ａａの横片１ｄとの干渉および溶接部材が垂れる(溶接部材が垂れない部分で溶接している)ことを考慮したためである。  しかしながら、これらの問題を考慮する必要がない状況においては、壁側ブラケット１ａａに固定して設けられる座金溶接用プレート１０の方向は壁側ブラケット１ａａの面内(アンカーボルトの軸方向に直交する面内)において制限されない。
【００３６】  また、ガイドレール固定装置の固定方法としては上述のように、図６に示すように、壁側ブラケット１ａａにアンカーボルト２ａ，２ｂを挿通した状態で、横長穴１ａと縦長穴１ｂによる壁側ブラケット部１０１の位置決め余裕による位置決め調整の後、座金溶接用プレート１０と座金１１を、座金１１の丸ネジ穴側端辺および溶接用長穴１１ｂで溶接する。
【００３７】  上記に説明する作用により、座金の締付けによりアンカーボルトや昇降路壁に生じる引抜力を考慮する必要無く、施工後は、水平方向の力(座金溶接用プレートのある方向およびその反対方向からの力)に対して横滑りを生じることなく、２本のアンカーボルトによる支持が可能となる。
【００３８】  実施の形態３．  図７から９はこの発明のさらに別の実施の形態によるエレベータ用ガイドレール固定装置の壁側ブラケット部の一例を示す。図７は壁側ブラケット１ｂｂ、図８は座金１４、図９はこれらが組み合わされて例えば昇降路壁にアンカーボルト２ａ、２ｂで固定された状態の壁側ブラケット部１０１ｂのそれぞれ正面図である。
【００３９】  図７に示すように、壁側ブラケット１ｂｂの縦片１ｃには、アンカーボルト２ａ、２ｂを挿通可能な斜め方向に延びる斜め長穴１ｅ及び縦長穴１ｂが横並びに開けられている。斜め長穴１ｅの近傍には座金支持用プレート１３が固定または予め一体に形成されている。また、座金支持用プレート１３は左端辺が階段形状(階段状斜辺)となっている。
【００４０】  図８に示すように、座金１４にはアンカーボルト２ａが挿通可能な丸ネジ穴１４ａが開けられている。下端辺が座金支持用プレート１３の左端辺と嵌め合わされるような階段形状(階段状斜辺)をとなっている。
【００４１】  図９に示すように組立手順は、最初に昇降路壁１５０にドリルで穴を開ける。  次に、斜め長穴１ｅ側は、壁側ブラケット１ｂｂの斜め長穴１ｅ、座金１４の丸ネジ穴１４ａ、ワッシャ６ａ、スプリング７ａ、ナット８ａにアンカーボルト２ａを通して、縦長穴１ｂ側は、壁側ブラケット１ｂｂの縦長穴１ｂ、ワッシャ６ｂ、スプリング７ｂ、ナット８ｂにアンカーボルト２ｂを通して、それぞれアンカーボルト２ａ，２ｂを締め付けて、ブラケット１ｂｂと座金１４を昇降路壁１５０に固定する。この際、座金１４の階段状斜辺と座金支持用プレート１３の階段状斜辺が合致するように調整する。
【００４２】  このように構成することにより、壁側ブラケット１ｂｂが図９の矢印Ｐの方向に力を受けた場合、座金１４は座金支持用プレート１３の矢印方向の移動を制限し、アンカーボルト２ａは座金支持用プレート１３の矢印方向の移動を制限する。結果として、壁側ブラケット１ｂｂの横方向の移動を制限することができる。また座金１４と座金支持用プレート１３の当接箇所を階段形状としたことで、壁側ブラケット１ｂｂに下方向への荷重または力が作用して滑ることを防止する。
【００４３】  なお上記の例に限定されず、座金１４に対して座金支持用プレート１３が作用する力の方向の手前側にあり、座金１４と座金支持用プレート１３の当接辺がそれぞれ斜め長穴１ｅの傾きと略同じまたは同じ傾きを有する構成にすればよい。  また上記の例では、斜め長穴と縦長穴の組み合わせの場合を示したが、斜め長穴と横長穴の組み合わせの場合も同様に有効である。
【００４４】  また、ガイドレール固定装置の固定方法としては上述のように、図９に示すように、壁側ブラケット１ｂｂにアンカーボルト２ａ，２ｂを挿通した状態で、縦長穴(１ｂ)または横長穴と斜め穴による壁側ブラケット部１０１ｂの位置決め余裕による位置決め調整の後、座金１４と座金支持用プレート１３の当接面がそれぞれ互いに嵌り合うようにアンカーボルト２ａ，２ｂを締め付ける。
【００４５】  上記に説明する作用により、溶接作業等を必要とせず、施工後は、水平方向の力(座金支持用プレートのある方向からの力)に対して横滑りを生じることなく、２本のアンカーボルトによる支持が可能となる。
【産業上の利用の可能性】
【００４６】  この発明によるエレベータ用ガイドレール固定装置およびその固定方法は種々の形態の固定装置に適用可能である。
【符号の説明】
【００４７】  １，１ａａ，１ｂｂ  壁側ブラケット、１ａ  横長穴、１ｂ  縦長穴、１ｃ  縦片、１ｄ  横片、１ｅ  斜め長穴、２ａ，２ｂ  アンカーボルト、３  座金支持用プレート、４  座金、４ａ  ネジ穴、６ａ，６ｂ  ワッシャ、７ａ，７ｂ  スプリング、８ａ，８ｂ  ナット、１０  座金溶接用プレート、１０ａ  横長穴、１１  座金、１１ａ  丸ネジ穴、１１ｂ  溶接用長穴、１３  座金支持用プレート、１４  座金、１４ａ  丸ネジ穴、１００  エレベータ用ガイドレール固定装置、１０１，１０１ａ，１０１ｂ  壁側ブラケット部、１０２  レール側ブラケット部、１５０  昇降路壁、２００  釣合おもり、２５０  ガイドレール、Ｗ  溶接部。
【図１】
2015145669.tif 000003
【図２】
2015145669.tif 000004
【図３】
2015145669.tif 000005
【図４】
2015145669.tif 000006
【図５】
2015145669.tif 000007
【図６】
2015145669.tif 000008
【図７】
2015145669.tif 000009
【図８】
2015145669.tif 000010
【図９】
2015145669.tif 000011
【図１０】
2015145669.tif 000012
【手続補正書】
【提出日】平成28年11月18日(2016.11.18)
【手続補正１】
【補正対象書類名】明細書
【補正対象項目名】００１３
【補正方法】変更
【補正の内容】
【００１３】
この発明は、エレベータの昇降路内にガイドレールを縦方向に固定するエレベータ用ガイドレール固定装置であって、昇降路壁に固定する壁側ブラケット部の長穴に、前記長穴に挿通されて前記壁側ブラケット部を前記昇降路壁に固定するネジを有するアンカーボルトと、前記アンカーボルトが挿通する丸ネジ穴を有し、前記アンカーボルトの軸方向と直交する方向に細長い座金と、前記壁側ブラケット部の取付け前には前記長穴のどの位置に対しても前記座金を取付け可能で、取付け後は細長い前記座金と当接することで前記長穴の長手方向の前記座金の移動を制限する固定部材と、を備えたエレベータ用ガイドレール固定装置等にある。
【手続補正２】
【補正対象書類名】特許請求の範囲
【補正対象項目名】全文
【補正方法】変更
【補正の内容】
【特許請求の範囲】
【請求項１】
エレベータの昇降路内にガイドレールを縦方向に固定するエレベータ用ガイドレール固定装置であって、昇降路壁に固定する壁側ブラケット部の長穴に、
前記長穴に挿通されて前記壁側ブラケット部を前記昇降路壁に固定するネジを有するアンカーボルトと、
前記アンカーボルトが挿通する丸ネジ穴を有し、前記アンカーボルトの軸方向と直交する方向に細長い座金と、
前記壁側ブラケット部の取付け前には前記長穴のどの位置に対しても前記座金を取付け可能で、取付け後は細長い前記座金と当接することで前記長穴の長手方向の前記座金の移動を制限する固定部材と、
を備えたエレベータ用ガイドレール固定装置。
【請求項２】
エレベータの昇降路内にガイドレールを縦方向に固定するエレベータ用ガイドレール固定装置であって、
前記ガイドレール固定装置を昇降路壁に固定する壁側ブラケット部が、
前記昇降路壁に固定される壁側ブラケットと、
前記壁側ブラケットに横方向に並べて設けられた縦長穴と横長穴と、
前記縦長穴と横長穴にそれぞれ挿通されて前記壁側ブラケットを前記昇降路壁に固定するネジを有するアンカーボルトと、
前記アンカーボルトが挿通する丸ネジ穴を有し、前記アンカーボルトの軸方向と直交する方向に細長い座金と、
前記壁側ブラケットに固定されて設けられた、前記縦長穴または横長穴の近傍で前記座金の一端が当接可能な位置にあり、前記壁側ブラケット部の取付け前には前記縦長穴または横長穴のどの位置に対しても前記座金を取付け可能で、取付け後は前記縦長穴または横長穴の長手方向の前記座金の移動を制限する座金支持用プレートと、
を備え、
前記座金と前記座金支持用プレートが、前記座金が前記アンカーボルトを締める方向に回転可能となる角度で前記座金支持用プレートと当接するように配置されているエレベータ用ガイドレール固定装置。
【請求項３】
エレベータの昇降路内にガイドレールを縦方向に固定するエレベータ用ガイドレール固定装置であって、
前記ガイドレール固定装置を昇降路壁に固定する壁側ブラケット部が、
前記昇降路壁に固定される壁側ブラケットと、
前記壁側ブラケットに横方向に並べて設けられた斜め長穴と縦長穴または横長穴と、
前記斜め長穴と縦長穴または横長穴にそれぞれ挿通されて前記壁側ブラケットを前記昇降路壁に固定するネジを有するアンカーボルトと、
前記アンカーボルトが挿通する丸ネジ穴を有し、前記アンカーボルトの軸方向と直交する方向に細長い座金と、
前記壁側ブラケットに固定されて設けられた、前記斜め長穴の近傍で前記座金と当接可能な位置にあり、前記壁側ブラケット部の取付け前には前記斜め長穴のどの位置に対しても前記座金を取付け可能で、取付け後は前記斜め長穴の長手方向の前記座金の移動を制限する座金支持用プレートと、
を備え、
前記座金支持用プレートと前記座金との当接辺がそれぞれ前記斜め長穴の傾きと略同じ傾きを有しかつ互いに嵌り合う形状を有する、前記座金支持用プレートから前記座金への方向の外力に有効なエレベータ用ガイドレール固定装置。
【請求項４】
エレベータの昇降路内にガイドレールを縦方向に固定するエレベータ用ガイドレール固定装置であって、
前記ガイドレール固定装置を昇降路壁に固定する壁側ブラケット部が、
前記昇降路壁に固定される壁側ブラケットと、
前記壁側ブラケットに横方向に並べて設けられた縦長穴と横長穴と、
前記縦長穴と横長穴にそれぞれ挿通されて前記壁側ブラケットを前記昇降路壁に固定するネジが形成されたアンカーボルトと、
前記壁側ブラケットの前記縦長穴または横長穴上に固定されて設けられた、前記縦長穴または横長穴と一致する前記アンカーボルトが挿通される長穴を有する、座金溶接用プレートと、
前記座金溶接用プレート上に搭載され、前記アンカーボルトが挿通される丸ネジ穴および前記座金溶接用プレートと溶接するための溶接用長穴を有する座金であって、前記丸ネジ穴が前記座金の前記丸ネジ穴側の端辺が前記座金溶接用プレートの端辺より前記丸ネジ穴側になるような位置にあり、前記溶接用長穴が前記丸ネジ穴より前記丸ネジ穴側の端辺から遠い位置にあるものと、
前記座金溶接用プレートと前記座金を、前記丸ネジ穴側の端辺および前記溶接用長穴で溶接する溶接部と、
を備えた
前記座金溶接用プレートが、前記壁側ブラケット部の取付け前には前記縦長穴または横長穴のどの位置に対しても前記座金を取付け可能で、取付け後は前記縦長穴または横長穴の長手方向の前記座金の移動を制限するエレベータ用ガイドレール固定装置。
【請求項５】
前記壁側ブラケットが前記縦長穴と横長穴が設けられ前記昇降路壁に固定される縦片と前記縦片の上端辺から昇降路内側に延びる横片からなり、
前記座金溶接用プレートと前記座金が前記縦片上で前記縦片から突出して延び、前記丸ネジ穴側の端辺および前記溶接用長穴の前記溶接部が、前記縦片から突出した前記横片のない部分に位置する請求項４に記載のエレベータ用ガイドレール固定装置。
【請求項６】
請求項２のエレベータ用ガイドレール固定装置において、前記縦長穴と横長穴による前記壁側ブラケット部の位置決め余裕による位置決め調整の後、前記座金の一端が前記座金支持用プレートに当接するように前記アンカーボルトを締め付けるエレベータ用ガイドレール固定装置の固定方法。
【請求項７】
請求項３のエレベータ用ガイドレール固定装置において、前記斜め長穴と縦長穴または横長穴による前記壁側ブラケット部の位置決め余裕による位置決め調整の後、前記座金と前記座金支持用プレートの当接面がそれぞれ互いに嵌り合うように前記アンカーボルトを締め付けるエレベータ用ガイドレール固定装置の固定方法。
【請求項８】
請求項４のエレベータ用ガイドレール固定装置において、前記縦長穴と横長穴による前記壁側ブラケット部の位置決め余裕による位置決め調整の後、前記座金溶接用プレートと前記座金を、前記座金の前記丸ネジ穴側の端辺および前記溶接用長穴で溶接するエレベータ用ガイドレール固定装置の固定方法。
【国際調査報告】
2015145669.tif 000013
2015145669.tif 000014
2015145669.tif 000015
2015145669.tif 000016